(57)【要約】【課題】  折り畳み可能な収納箱の蓋も折り畳み可能として全体の体積を小さくできるようにする。【解決手段】  収納箱の開口を覆う大きさに形成された主面板の相対する両端にその主面板と相対して折り畳めることができるように端面板をそれぞれ連接するとともに、その主面板の別の相対する両側にその主面板と相対して折り畳めることができるように側面板をそれぞれ連接し、前記端面板と側面板の間には、その端面板及び側面板が折り畳まれて主面板と垂直になったときに、その側面板と端面板とを固定する固定構造を設け、前記主面板にはその主面板を折り畳むための折線を形成するとともに、その折線の両端に対応する前記側面板には欠け口が設けられていることを特徴とする。【選択図】      図１
0003109921.tif 000002
【実用新案登録請求の範囲】
【請求項１】
収納箱の開口を覆う大きさに形成された主面板の相対する両端にその主面板と相対して折り畳めることができるように端面板をそれぞれ連接するとともに、その主面板の別の相対する両側にその主面板と相対して折り畳めることができるように側面板をそれぞれ連接し、
前記端面板と側面板の間には、その端面板及び側面板が折り畳まれて主面板と垂直になったときに、その側面板と端面板とを固定する固定構造を設け、
前記主面板にはその主面板を折り畳むための折線を形成するとともに、その折線の両端に対応する前記側面板には欠け口が設けられている、
ことを特徴とする収納箱用蓋。
【請求項２】
収納箱の開口を覆う大きさに形成された主面板の相対する両端にその主面板と相対して折り畳めることができるように端面板をそれぞれ連接するとともに、その主面板の別の相対する両側にその主面板と相対して折り畳めることができるように側面板をそれぞれ連接し、
前記側面板と側面板の間には、その端面板及び側面板が折り畳まれて主面板と垂直になったときに、その側面板と端面板とを固定する固定構造を設け、
前記固定構造をなす端面板と側面板の両側端は斜辺に形成され、かつその側面板と端面板の斜辺との間にはフレキシブル面材が連接されている、
ことを特徴とする収納箱用蓋。
【請求項３】
登録請求の範囲第２に記載の収納箱用蓋において、フレキシブル面材は、側面板と端面板の端辺を互いに垂直になるよう連接することを特徴とする収納箱用蓋。
【考案の詳細な説明】
【技術分野】
【０００１】
本考案は物を収納する収納箱の開口に覆い被せる収納箱用蓋に係るもので、特に蓋を偏平上に折り畳むことができるようにしたものに関する。
【背景技術】
【０００２】
体積を縮小して収納を便利にするために、空の収納箱を折り畳み可能にすることは周知であり、現在多くの種類がある。例えばある折り畳み可能な収納箱は、軟質の材料を採用して矩形の箱を作るとともに、その矩形箱の上端四辺にそれぞれ上水平棒を設置し、箱下辺の相対両辺にはそれぞれ下水平棒を設置し、その箱の四つの垂直辺にはそれぞれ縦棒を設置し、その隣接する上水平棒の端部の間、隣接する下水平棒の端部の間及び縦棒と上、下水平棒の端部の間に適当な距離が保持されている。そしてその収納箱の各垂直壁面は対角に交差する折線が形成されている。このような構造からなる軟質の収納箱は、それら縦棒、上水平棒及び下水平棒の支えによって物を収容することのできる収納箱となり、そしてそれらをひねることによって偏平状に折り畳むことができる。
【特許文献１】特になし
【考案の開示】
【考案が解決しようとする課題】
【０００３】
しかしながら、上記従来の折り畳み可能な収納箱は、折り畳んで体積を小さくして収納等に便利なようにすることができるが、その収納箱の蓋は折り畳んで小さくして体積を小さくすることができないという問題点を有していた。
【０００４】
そこで、本考案は上記欠点を解決するためになされたものであって、その目的は、折り畳んで体積を小さくすることのできる収納箱用蓋を提供することにある。
【課題を解決するための手段】
【０００５】
本考案に係る収納箱用蓋は、上記目的を達成するために、請求項１に記載の考案は、収納箱の開口を覆う大きさに形成された主面板の相対する両端にその主面板と相対して折り畳めることができるように端面板をそれぞれ連接するとともに、その主面板の別の相対する両側にその主面板と相対して折り畳めることができるように側面板をそれぞれ連接し、前記端面板と側面板の間には、その端面板及び側面板が折り畳まれて主面板と垂直になったときに、その側面板と端面板とを固定する固定構造を設け、前記主面板にはその主面板を折り畳むための折線を形成するとともに、その折線の両端に対応する前記側面板には欠け口が設けられていることを特徴としている。
本考案の請求項２に記載の収納箱用蓋は、収納箱の開口を覆う大きさに形成された主面板の相対する両端にその主面板と相対して折り畳めることができるように端面板をそれぞれ連接するとともに、その主面板の別の相対する両側にその主面板と相対して折り畳めることができるように側面板をそれぞれ連接し、前記側面板と側面板の間には、その端面板及び側面板が折り畳まれて主面板と垂直になったときに、その側面板と端面板とを固定する固定構造を設け、前記固定構造をなす端面板と側面板の両側端は斜辺に形成され、かつその側面板と端面板の斜辺との間にはフレキシブル面材が連接されていることを特徴とする。
本考案の請求項３に記載の収納箱用蓋は、フレキシブル面材は、側面板と端面板の端辺を互いに垂直になるよう連接することを特徴としている。
【考案の効果】
【０００６】
本考案の請求項１に記載の収納箱用蓋は、収納箱の開口を覆う大きさに形成された主面板の相対する両端にその主面板と相対して折り畳めることができるように端面板をそれぞれ連接するとともに、その主面板の別の相対する両側にその主面板と相対して折り畳めることができるように側面板をそれぞれ連接し、前記端面板と側面板の間には、その端面板及び側面板が折り畳まれて主面板と垂直になったときに、その側面板と端面板とを固定する固定構造を設け、前記主面板にはその主面板を折り畳むための折線を形成するとともに、その折線の両端に対応する前記側面板には欠け口が設けられているので、収納箱用蓋の体積を小さくすることができる。
本考案の請求項２に記載の収納箱用蓋は、収納箱の開口を覆う大きさに形成された主面板の相対する両端にその主面板と相対して折り畳めることができるように端面板をそれぞれ連接するとともに、その主面板の別の相対する両側にその主面板と相対して折り畳めることができるように側面板をそれぞれ連接し、前記側面板と側面板の間には、その端面板及び側面板が折り畳まれて主面板と垂直になったときに、その側面板と端面板とを固定する固定構造を設け、前記固定構造をなす端面板と側面板の両側端は斜辺に形成され、かつその側面板と端面板の斜辺との間にはフレキシブル面材が連接されているので、収納箱用蓋の体積を小さくすることができる。
本考案の、請求項３に記載の収納箱用蓋において、フレキシブル面材は、側面板と端面板の端辺を互いに垂直になるよう連接するので、容易に蓋を構成することができる。
【考案を実施するための最良の形態】
【０００７】
以下、本考案を実施するための最良の形態を図面に基づいて説明する、。図１及び図２は、一実施の形態に係る収納箱用蓋（以下、「蓋」という。）１を示していて、このうち図１は、蓋１を組立てた状態の斜視図、図２は蓋１を折り畳む途中の状態を示す斜視図である。
【０００８】
図中１０は、図示しない折り畳み可能な収納箱の開口を覆う蓋体となる主面板で、ここでは平面形状が長方形を呈している。そして、主面板１０の相対する両側にはそれぞれ側面板１３が連接されている。図中１１は、折線であって主面板１０を丁度２つ折にできるように、長方形の主面板１を２分する位置に形成されている。側面板１３及び端面板１２はともに折線１４を介し主面板１０と相対して折り畳むことができるように構成されている。
【０００９】
側面板１３と端面板１２の間には、これら両板１２，１３を固定するための固定構造（固定機構）が設けられている。この固定構造は図２に示されるように、端面板１２の内側面の相対する両側に雄面ファスナ１５が設置され、側面板１３の外側面の相対する両側には雌面ファスナ１６が設置されて構成され、側面板１３及び端面板１２が主面板１０に相対して垂直に折り畳まれるると、雄面ファスナ１５と雌面ファスナ１６によって互いに粘着固定される（図１参照）。そして雄面ファスナ１５と雌面ファスナ１６を引き離すと、側面板１３及び端面板１２は展開することができる（図２参照）。また主面板１０をより小さく、かつ偏平な体積に折り畳めるようにするために、主面板１０を横切る折線１１を中心に折り畳まれる（図２参照）。この折線１１に対応する両端の側面板１３には欠け口１７が設置されているので、主面板１０は半分に容易に折り畳むことができる。
【００１０】
図３及び図４は本考案の他の実施の形態を示すもので、図３は蓋１を組立てた状態の斜視図、図４は折り畳み途中の斜視図である。ここで蓋１は主面板１０に複数（図示の例では２本）の折線１１を形成するとともに、各折線１１両端の側面板１３に対応して欠け口１７が設けられている。この蓋１は主面板１０はより小さき体積の偏平状に折り畳めることができる。
【００１１】
図５及び図６は本考案のさらに他の実施の形態を示したもので、図５は蓋１を組立て状態の斜視図、図６は図５のＡ部の拡大図である。この蓋１は、主面板１０の相対する両端に側面板１２を連接し、他の相対する両端に側面板１３を連接し、その側面板１２と側面板１３の両側端はともに斜辺に形成され、かつその側面板１２と側面板１３の斜辺の間には、例えばキャンバス又はプラスチック布等からなるフレキシブル面材１８が連接されている。このフレキシブル面材１８に対する側面板１３及び側面板１２の連接方式は、ミシン縫い又は公知の熱溶接を採用してもよく、又はその他のいかなる方式であってもよい。
【００１２】
この蓋１は、フレキシブル面材１８が側面板１３及び側面板１２の端辺を連接すると、それらは垂直状態に連接されるので、側面板１３及び端面板１２が主面板１０と垂直になる用折り畳められて収納箱の開口（図示せず）を覆う蓋に構成される。そして蓋１を折り畳む場合は、図７に示されるように、側面板１３及び端面板１２を主面板１０に相対して折り戻される。このとき、フレキシブル面材１８は少々しわになるが、折り畳みには支障を来さない。
【図面の簡単な説明】
【００１３】
【図１】本考案に係る蓋を組立てた状態の斜視図である。
【図２】図１に係る蓋を折り畳む途中の斜視図である。
【図３】本考案の他の実施の形態に係る蓋を組立てた状態の斜視図である。
【図４】図３に係る蓋を折り畳む途中の斜視図である。
【図５】本考案に係るさらに他の実施の形態に係る蓋を組立てた状態の斜視図である。
【図６】図５のＡ部の拡大図である。
【図７】図５に示される蓋の端面板及び側面板を開いた状態にした斜視図である。
【符号の説明】
【００１４】
１      蓋（収納箱用蓋）
１０      主面板
１１      折線
１２      端面板
１３      側面板
１４      折線
１５      雄面ファスナ
１６      雌面ファスナ
１７      欠け口
１８      フレキシブル面材
【図１】
0003109921.tif 000003
【図２】
0003109921.tif 000004
【図３】
0003109921.tif 000005
【図４】
0003109921.tif 000006
【図５】
0003109921.tif 000007
【図６】
0003109921.tif 000008
【図７】
0003109921.tif 000009